(57)【要約】【課題】  従来の携帯電話装置は、電池の消耗を極力避けるために待機時は可能な限りの機能をＯＦＦ状態にしている。このため、夜間就寝中等において、時刻や着信の有無等を知りたいとき、暗闇の中で携帯電話装置を探し、時刻や着信等を確認することが困難であった。【解決手段】  携帯電話装置１に手をかざすと近接覚センサ８がその接近を検知し、時刻情報、着信情報等の音声応答をスピーカ３から発し、または若しくは同時に表示部９のバックライト１０の点灯を行う。【選択図】      図１
2005045655.tif 000002
【特許請求の範囲】
【請求項１】
近接覚センサと、音声発生手段と、発光手段と、制御部を備え、
前記近接覚センサが、接近物を検知した時、検知情報を前記制御部に出力し、
前記制御部は、前記音声発生手段と前記発光手段の何れか一方または両方を作動させる、
ことを特徴とする携帯電話装置。
【請求項２】
近接覚センサと、音声応答手段と、バックライトを有する表示手段と、制御部を備え、
前記近接覚センサが、接近物を検知した時、検知情報を前記制御部に出力し、
前記制御部は、前記音声応答手段の起動と前記バックライトの点灯の何れか一方または両方を作動させる、
ことを特徴とする携帯電話装置。
【請求項３】
携帯電話装置であって、
２つの近接覚センサと、前記携帯電話装置が置かれた状態の天地を検出するセンススイッチと、音声応答手段と、バックライトを有する表示手段と、制御部を備え、
前記センススイッチによって選択された前記２つの近接覚センサの内の一方が、接近物を検知した時、検知情報を前記制御部に出力し、
前記制御部は、前記音声応答手段の起動と前記バックライトの点灯の何れか一方または両方を作動させる、
ことを特徴とする携帯電話装置。
【請求項４】
前記近接覚センサは、超音波センサである、
ことを特徴とする請求項１または２の何れかに記載の携帯電話装置。
【請求項５】
前記２つの近接覚センサは、一方が超音波センサであり、
他方が赤外線センサである、
ことを特徴とする請求項３に記載の携帯電話装置。
【請求項６】
前記２つの近接覚センサは、両方とも超音波センサである、
ことを特徴とする請求項３に記載の携帯電話装置。
【請求項７】
前記超音波センサは、
前記接近物までの距離を計測するセンサである、
ことを特徴とする請求項１から６の何れかに記載の携帯電話装置。
【請求項８】
前記超音波センサは、
前記接近物からの反射超音波の振幅を計測する、
ことを特徴とする請求項１から６の何れかに記載の携帯電話装置。
【請求項９】
前記赤外線センサは、
赤外線パルスを発光し、前記赤外線パルスが前記接近物から反射するレベルを計測する、
ことを特徴とする請求項５に記載の携帯電話装置。
【請求項１０】
前記赤外線センサの赤外線発受光部は、
前記携帯電話装置の備える赤外線通信用発受光部を兼ねる、
ことを特徴とする請求項５に記載の携帯電話装置。
【請求項１１】
前記携帯電話装置は操作入力手段を備え、
前記検知情報は、
前記超音波センサが計測した接近物までの距離が、前記操作入力手段から予め設定入力された値以下の場合に出力する、
ことを特徴とする請求項７に記載の携帯電話装置。
【請求項１２】
前記携帯電話装置は操作入力手段を備え、
前記検知情報は、
前記超音波センサが計測した接近物からの前記反射超音波振幅が、前記操作入力手段から予め設定入力された前記接近物までの距離に対応する前記反射超音波振幅値以上の場合に出力する、
ことを特徴とする請求項８に記載の携帯電話装置。
【請求項１３】
前記携帯電話装置は操作入力手段を備え、
前記検知情報は、
前記赤外線センサが計測した接近物からの前記赤外線パルスの反射レベルが、前記操作入力手段から予め設定入力された前記接近物までの距離に対応する前記反射赤外線レベル値以上の場合に出力する、
ことを特徴とする請求項９または１０の何れかに記載の携帯電話装置。
【請求項１４】
前記携帯電話装置は操作入力手段を備え、
前記近接覚センサが接近物を検知し、前記音声発生手段と前記発光手段の何れか一方または両方を作動させる動作の設定及び解除は、前記操作入力手段から入力される、
ことを特徴とする請求項１から３の何れかに記載の携帯電話装置。
【請求項１５】
前記近接覚センサのセンシング面は、
前記携帯電話装置の前記表示手段が配設された筐体面に備える、
ことを特徴とする、
ことを特徴とする請求項１または２の何れかに記載の携帯電話装置。
【請求項１６】
前記携帯電話装置はワンピース型の携帯電話装置であって、
前記２つの近接覚センサのセンシング面は、
一方は前記携帯電話装置の前記表示手段が配設された筐体面に備え、
他方は前記表示手段が配設された面の背面に備える、
ことを特徴とする請求項１または２の何れかに記載の携帯電話装置。
【請求項１７】
前記携帯電話装置は折り畳み型の携帯電話装置であって、
前記２つの近接覚センサのセンシング面は、
前記携帯電話装置の筐体の折り畳んだ外表面のそれぞれに備え、
前記バックライトを点灯する表示手段は、
前記外表面に備える表示手段である、
ことを特徴とする請求項３に記載の携帯電話装置。
【請求項１８】
前記携帯電話装置は折り畳み型の携帯電話装置であって、
前記赤外線通信用発受光部と前記バックライトを点灯する表示手段は、
前記携帯電話装置の筐体の折り畳んだ一方の外表面に備え、
前記超音波センサは、
他方の外表面に備える、
ことを特徴とする請求項１０に記載の携帯電話装置。
【請求項１９】
近接覚センサと、音声発生手段と、発光手段と、制御部を備えた携帯電話装置において、
前記近接覚センサが、接近物を検知した時、検知情報を前記制御部に出力し、
前記制御部は、前記音声発生手段と前記発光手段の何れか一方または両方を作動させる、
ことを特徴とする携帯電話装置のユーザインタフェース。
【請求項２０】
近接覚センサと、音声応答手段と、バックライトを有する表示手段と、制御部を備えた携帯電話装置において、
前記近接覚センサが、接近物を検知した時、検知情報を前記制御部に出力し、
前記制御部は、前記音声応答手段の起動と前記バックライトの点灯の何れか一方または両方を作動させる、
ことを特徴とする携帯電話装置のユーザインタフェース。
【請求項２１】
携帯電話装置であって、
２つの近接覚センサと、前記携帯電話装置が置かれた状態の天地を検出するセンススイッチと、音声応答手段と、バックライトを有する表示手段と、制御部を備えた携帯電話装置において、
前記センススイッチによって選択された前記２つの近接覚センサの内の一方が、接近物を検知した時、検知情報を前記制御部に出力し、
前記制御部は、前記音声応答手段の起動と前記バックライトの点灯の何れか一方または両方を作動させる、
ことを特徴とする携帯電話装置のユーザインタフェース。
【請求項２２】
前記近接覚センサは、超音波センサである、
ことを特徴とする請求項１９または２０の何れかに記載の携帯電話装置のユーザインタフェース。
【請求項２３】
前記２つの近接覚センサは、一方が超音波センサであり、
他方が赤外線センサである、
ことを特徴とする請求項２１に記載の携帯電話装置。
【請求項２４】
前記２つの近接覚センサは、両方とも超音波センサである、
ことを特徴とする請求項２１に記載の携帯電話装置のユーザインタフェース。
【請求項２５】
前記超音波センサは、
前記接近物までの距離を計測するセンサである、
ことを特徴とする請求項１９から２４の何れかに記載の携帯電話装置のユーザインタフェース。
【請求項２６】
前記超音波センサは、
前記接近物からの反射超音波の振幅を計測する、
ことを特徴とする請求項１９から２４の何れかに記載の携帯電話装置のユーザインタフェース。
【請求項２７】
前記赤外線センサは、
赤外線パルスを発光し、前記赤外線パルスが前記接近物から反射するレベルを計測する、
ことを特徴とする請求項２３に記載の携帯電話装置のユーザインタフェース。
【請求項２８】
前記赤外線センサの赤外線発受光部は、
前記携帯電話装置の備える赤外線通信用発受光部を兼ねる、
ことを特徴とする請求項２３に記載の携帯電話装置のユーザインタフェース。
【請求項２９】
近接覚センサと、音声応答手段と、バックライトを有する表示手段と、制御部を備えた携帯電話装置において、
前記近接覚センサが接近物を検知した時、前記音声応答手段の起動と前記バックライトの点灯の何れか一方または両方が作動する動作を設定するステップと、
前記近接覚センサが接近物を検知するための前記接近物までの距離を予め設定するステップと、
前記近接覚センサが、計測した接近物までの距離が、前記予め設定された値以下の場合に、検知情報を前記制御部に出力するステップと、
前記制御部が、前記検知情報に基づいて前記音声応答手段の起動と前記バックライトの点灯の何れか一方または両方を作動させるステップと、
前記音声応答手段の起動と前記バックライトの点灯の何れか一方または両方を作動する動作を解除するステップ、
を含むことを特徴とする携帯電話装置のユーザインタフェース。
【請求項３０】
近接覚センサと、音声応答手段と、バックライトを有する表示手段と、制御部を備えた携帯電話装置において、
前記近接覚センサが接近物を検知した時、前記音声応答手段の起動と前記バックライトの点灯の何れか一方または両方が作動する動作を設定するステップと、
前記近接覚センサが接近物を検知するための前記接近物までの距離を予め設定するステップと、
前記予め設定した前記接近物までの距離を、前記近接覚センサが前記接近物から反射受信するレベルに変換するステップと、
前記近接覚センサが、計測した接近物からの反射受信レベルが、前記予め設定された値以上の場合に、検知情報を前記制御部に出力するステップと、
前記制御部が、前記検知情報に基づいて前記音声発生手段の起動と前記バックライトの点灯の何れか一方または両方を作動させるステップと、
前記音声応答手段の起動と前記バックライトの点灯の何れか一方または両方を作動する動作を解除するステップ、
を含むことを特徴とする携帯電話装置のユーザインタフェース。
【請求項３１】
前記音声応答手段が作動して発声する情報は、
現在時刻情報と、前記携帯電話装置への着信数情報、
を含むことを特徴とする請求項２９または３０の何れかに記載の携帯電話装置のユーザインタフェース。
【発明の詳細な説明】
【技術分野】
【０００１】
本発明は、新たなユーザインタフェースが付加された携帯電話、とくに手を携帯電話にかざすと近接覚センサがその接近を検知し、時刻情報、着信情報等の音声応答や表示部のバックライトの点灯を行う機能を有する携帯電話装置並びにそのユーザインタフェースに関する。
【背景技術】
【０００２】
携帯電話装置は、電池の消耗を極力避けるために待機時は可能な限りの機能をＯＦＦ状態にしている。このため、従来の携帯電話装置では、夜間就寝中等において、時刻や着信の有無等を知りたいとき、暗闇の中で携帯電話装置を探し、時刻や着信等を確認することが困難であった。
時刻情報や着信通知等を音声通知によって知る従来の携帯電話装置を図１２に示す。携帯電話装置１００は、少なくともキー入力部である操作部１１０と制御部１１２と音声発生装置１１１を備えている。この携帯電話装置１００の使用者が、夜間等に音声による時刻通知や着信通知等の音声情報通知を得ようとする場合、暗い中で携帯電話装置１００を探し、操作部１１０より、音声発生装置１１１を制御する制御部１１２を動作させ、音声発生装置１１１からの音声情報通知の取得を手動にて設定しなければならない。
【０００３】
留守電設定された従来の固定電話装置において、留守電ボタンを押下して留守電中の着信数や録音したメッセージを再生することはすでによく行われている。
また、電話機近傍での人の有無をセンサによって検知し、電話機の傍らに人がいる場合には呼び出し音の音量を小さくし、人が電話機より離れている場合には大きい音量の呼び出し音を発生する発明が開示されている（例えば、特許文献１参照）。
また、電話送受話器において、近接センサとスピーカと受信された音声信号を一時的に記憶し再生する装置の発明が開示されている。近接センサが送受話器の耳への接近を検知する。送受話器が耳から離れると通話中の音声信号をリアルタイムにバッファリングし、送受話器が再び耳に接近した時、蓄積した音声信号を時間圧縮して再生し、送受話器が耳から離れて受音できなかった間の音声を受話者に補って伝えるものである（例えば、特許文献２参照）。
【０００４】
【特許文献１】特開平０４−２６０２５６号公報（第１−２頁、図１）
【０００５】
【特許文献２】特開２００３−３７６５２号公報（第３−４頁、図１）
【発明の開示】
【発明が解決しようとする課題】
【０００６】
本発明は、省電力設計された携帯電話装置における上記の課題に鑑みて成されたものであって、その目的とするところは、使いやすい新たなユーザインタフェースを装備した携帯電話装置を提供するものであって、とくに手や物体を携帯電話にかざすと、近接覚センサがその接近を検知し、時刻情報、着信情報等の音声応答や表示部のバックライトの点灯を行う機能を有する携帯電話装置を提供するものである。
【課題を解決するための手段】
【０００７】
上記の課題を解決するために、本発明の携帯電話装置請求項は、近接覚センサと、音声発生手段と、発光手段と、制御部を備え、近接覚センサが、接近物を検知した時、検知情報を制御部に出力し、制御部は、音声発生手段と発光手段の何れか一方または両方を作動させることを特徴とする。
また、本発明の携帯電話装置は、近接覚センサと、音声応答手段と、バックライトを有する表示手段と、制御部を備え、近接覚センサが、接近物を検知した時、検知情報を制御部に出力し、制御部は、音声応答手段の起動とバックライトの点灯の何れか一方または両方を作動させることを特徴とする。
また、本発明の携帯電話装置は、携帯電話装置であって、２つの近接覚センサと、携帯電話装置が置かれた状態の天地を検出するセンススイッチと、音声応答手段と、バックライトを有する表示手段と、制御部を備え、センススイッチによって選択された２つの近接覚センサの内の一方が、接近物を検知した時、検知情報を制御部に出力し、
制御部は、音声応答手段の起動とバックライトの点灯の何れか一方または両方を作動させることを特徴とする。
近接覚センサは、超音波センサである
２つの近接覚センサは、一方が超音波センサであり、他方が赤外線センサである。
２つの近接覚センサは、両方とも超音波センサである。
超音波センサは、接近物までの距離を計測するセンサである。
超音波センサは、接近物からの反射超音波の振幅を計測する。
赤外線センサは、赤外線パルスを発光し、赤外線パルスが接近物から反射するレベルを計測する。
赤外線センサの赤外線発受光部は、携帯電話装置の備える赤外線通信用発受光部を兼ねる。
携帯電話装置は操作入力手段を備え、検知情報は、超音波センサが計測した接近物までの距離が、操作入力手段から予め設定入力された値以下の場合に出力する。
携帯電話装置は操作入力手段を備え、検知情報は、超音波センサが計測した接近物からの反射超音波振幅が、操作入力手段から予め設定入力された接近物までの距離に対応する反射超音波振幅値以上の場合に出力する。
携帯電話装置は操作入力手段を備え、検知情報は、赤外線センサが計測した接近物からの赤外線パルスの反射レベルが、操作入力手段から予め設定入力された接近物までの距離に対応する反射赤外線レベル値以上の場合に出力する。
携帯電話装置は操作入力手段を備え、近接覚センサが接近物を検知し、音声発生手段と発光手段の何れか一方または両方を作動させる動作の設定及び解除は、操作入力手段から入力される。
近接覚センサのセンシング面は、携帯電話装置の表示手段が配設された筐体面に備える。
携帯電話装置はワンピース型の携帯電話装置であって、２つの近接覚センサのセンシング面は、一方は携帯電話装置の表示手段が配設された筐体面に備え、他方は表示手段が配設された面の背面に備える。
携帯電話装置は折り畳み型の携帯電話装置であって、２つの近接覚センサのセンシング面は、携帯電話装置の筐体の折り畳んだ外表面のそれぞれに備え、バックライトを点灯する表示手段は、外表面に備える表示手段である。
携帯電話装置は折り畳み型の携帯電話装置であって、赤外線通信用発受光部とバックライトを点灯する表示手段は、携帯電話装置の筐体の折り畳んだ一方の外表面に備え、超音波センサは、他方の外表面に備える。
【０００８】
また、本発明の携帯電話装置のユーザインタフェースは、近接覚センサと、音声発生手段と、発光手段と、制御部を備えた携帯電話装置において、近接覚センサが、接近物を検知した時、検知情報を制御部に出力し、制御部は、音声発生手段と発光手段の何れか一方または両方を作動させることを特徴とする。
また、本発明の携帯電話装置のユーザインタフェースは、近接覚センサと、音声応答手段と、バックライトを有する表示手段と、制御部を備えた携帯電話装置において、近接覚センサが、接近物を検知した時、検知情報を制御部に出力し、制御部は、音声応答手段の起動とバックライトの点灯の何れか一方または両方を作動させることを特徴とする。
また、本発明の携帯電話装置のユーザインタフェースは、携帯電話装置であって、２つの近接覚センサと、携帯電話装置が置かれた状態の天地を検出するセンススイッチと、音声応答手段と、バックライトを有する表示手段と、制御部を備えた携帯電話装置において、センススイッチによって選択された２つの近接覚センサの内の一方が、接近物を検知した時、検知情報を制御部に出力し、制御部は、音声応答手段の起動とバックライトの点灯の何れか一方または両方を作動させることを特徴とする。
近接覚センサは、超音波センサである。
２つの近接覚センサは、一方が超音波センサであり、他方が赤外線センサである。
２つの近接覚センサは、両方とも超音波センサである。
超音波センサは、接近物までの距離を計測するセンサである。
超音波センサは、接近物からの反射超音波の振幅を計測する。
赤外線センサは、赤外線パルスを発光し、赤外線パルスが接近物から反射するレベルを計測する。
赤外線センサの赤外線発受光部は、携帯電話装置の備える赤外線通信用発受光部を兼ねる。
また、本発明の携帯電話装置のユーザインタフェーは、近接覚センサと、音声応答手段と、バックライトを有する表示手段と、制御部を備えた携帯電話装置において、近接覚センサが接近物を検知した時、音声応答手段の起動とバックライトの点灯の何れか一方または両方が作動する動作を設定するステップと、近接覚センサが接近物を検知するための接近物までの距離を予め設定するステップと、近接覚センサが、計測した接近物までの距離が、予め設定された値以下の場合に、検知情報を制御部に出力するステップと、制御部が、検知情報に基づいて音声応答手段の起動とバックライトの点灯の何れか一方または両方を作動させるステップと、音声応答手段の起動とバックライトの点灯の何れか一方または両方を作動する動作を解除するステップを含むことを特徴とする。
また、本発明の携帯電話装置のユーザインタフェーは、近接覚センサと、音声応答手段と、バックライトを有する表示手段と、制御部を備えた携帯電話装置において、近接覚センサが接近物を検知した時、音声応答手段の起動とバックライトの点灯の何れか一方または両方が作動する動作を設定するステップと、近接覚センサが接近物を検知するための接近物までの距離を予め設定するステップと、予め設定した接近物までの距離を、近接覚センサが接近物から反射受信するレベルに変換するステップと、近接覚センサが、計測した接近物からの反射受信レベルが、予め設定された値以上の場合に、検知情報を制御部に出力するステップと、制御部が、検知情報に基づいて音声発生手段の起動とバックライトの点灯の何れか一方または両方を作動させるステップと、音声応答手段の起動とバックライトの点灯の何れか一方または両方を作動する動作を解除するステップを含むことを特徴とする。
音声応答手段が作動して発声する情報は、
現在時刻情報と、携帯電話装置への着信数情報を含む。
【発明の効果】
【０００９】
本発明の携帯電話装置では使用者が携帯電話装置に接触し手動操作すること無く、音声による時刻通知や着信通知等の音声情報通知や表示ＬＣＤのバックライトの点灯による暗闇の中での携帯電話装置の所在の確認を得ることが可能になる。その理由は、本発明の携帯電話装置が近接覚センサを有するからである。
また、動作設定中は常に音声情報通知が可能であるので、使用者が情報通知を得たい時に、何度でも時刻通知や着信通知等の音声情報通知を得ることが可能になる。その理由は、音声通知のＯＮ／ＯＦＦが設定でき、ＯＮ中は、繰り返し動作するからである。
【発明を実施するための最良の形態】
【００１０】
本発明の実施の形態を図面を参照して説明する。
【実施例１】
【００１１】
図１に本発明の第１の実施例の携帯電話装置の外観、図２にその構成を示す。この第１の実施例は、折り畳みではなくワンピース型の携帯電話装置である。
携帯電話装置１は、少なくとも操作部２（キー）と着信音を発音するスピーカ３と記憶部４と制御部５と表示部９（ＬＣＤ）とＬＣＤバックライト１０とを備える従来の構成に、近接覚センサ８を携帯電話装置１の表示部９や操作部２が形成されている面と同一の筐体面に配設されている。近接覚センサ８は、この第１の実施例では、超音波センサ６と距離比較部７で構成されている。
超音波センサ６は、４０〜５０ＫＨｚ程度の振動周波数の圧電屈曲振動子を一定周期のバーストパルスによって駆動することによって、空気中に超音波パルスを送出し、接近物体からの反射パルスを同じ振動子によって検知するものである。
距離比較部７は、超音波センサ部６が送信した送信超音波パルスと受信した反射エコーを検波し、２つのパルス時間差から接近物体までの距離を算出し、その距離データを制御部５に出力する。しかしながら、上記の超音波によるセンシングが可能であるためには、反射エコーが戻ってくることと、送信パルス波形と反射エコー波形とが時間分離できることが必要であるため、距離計測できる最大距離と最短距離が存在する。このため、距離比較部７は、パルス時間差が計測不能の場合は、計測不能の情報を制御部５に出力する。
制御部５は、距離比較部７から入力した距離データと、使用者が予め入力し記憶部４に記憶しておいた設定値とを比較し、距離比較部７からの距離データが設定値より近い場合に、記憶部４に予め記憶してある時刻通知や着信通知等の音声情報をスピーカ３に出力する。
音声情報通知動作が作動する距離の設定値の入力は、操作部２のキーから入力される。
記憶部４は、前記操作部２より入力された設定距離データを制御部５を介して記憶する。
スピーカ３は、制御部５の制御によって時刻通知や着信通知等の音声情報通知を発音する。
これらの構成により、使用者は携帯電話装置１に接触し手動操作すること無く、手をかざすだけで音声にて時刻通知や着信通知等の音声情報通知を受けることができる。
【００１２】
図３を参照して本実施例の動作についての詳細を説明する。
まず、使用者が携帯電話装置の電源を投入する（Ｓ１）。
次に、音声情報通知動作を作動させる接近距離Ｌ１を使用者が設定入力し（Ｓ２）、音声情報通知動作を行うか行わないか設定する（Ｓ３）。
音声情報通知動作の設定のＯＮ／ＯＦＦを検出し（Ｓ４）、音声情報通知の動作設定をＯＦＦとした場合は終了する。設定がＯＮであった場合、超音波センサによる距離測定が開始される（Ｓ５）。
超音波センサにより測定した距離Ｌ２と、使用者が設定した距離Ｌ１とを比較する（Ｓ６）。
比較した結果、測定距離Ｌ２が設定距離Ｌ１以下（Ｌ２≦Ｌ１）であった場合、スピーカより時刻通知や着信通知等の音声情報が使用者に通知される（Ｓ７）。
Ｓ６において、距離比較した結果、Ｌ２＞Ｌ１の場合、または、接近距離が遠すぎたり近づきすぎたりして超音波エコーが検出できずＬ２が測定できない場合は、Ｓ５の距離測定を繰り返す。
音声情報通知（Ｓ７）後、操作部キー入力を検出する（Ｓ８）。
音声情報通知の設定を変更するまで常に動作する。使用者が携帯電話装置に手等をかざした時は何時でも音声情報通知が実行される。
【実施例２】
【００１３】
次に本発明の第２の実施例について説明する。
スピーカによる音声情報通知が、周囲の状況から憚られる場合や、携帯電話装置の表示部を使用者が視認できる位置関係にあったり、また、暗闇の中ＬＣＤ部が光ることにより携帯電話装置が探しやすくなる状況においては、音声情報通知の代わりに表示部のバックライトを点灯させてもよい。ＬＣＤバックライトが光ることにより、時刻表示等のＬＣＤ表示が見やすくなる。また、携帯電話装置の場所が分かり容易に携帯電話装置を探すことが可能になる。
図４に第２の実施例の構成図を示す。前記、図２にて説明した第１の実施例の構成において、スピーカ３をＬＣＤバックライト１５の点灯機能に変えた構成であり、他の部分は図２にて説明した実施例同様の構成である。
【００１４】
次に図５を参照して、この実施例の動作について説明する。
前記、図３で示した実施例の動作と同様に、まず、携帯電話装置の電源を投入する（Ｓ９）。
次に、ＬＣＤバックライト点灯動作がＯＮとなる距離Ｌ１を入力し（Ｓ１０）、バックライト点灯動作を行うか行わないか設定する（Ｓ１１）。
バックライト点灯動作の設定のＯＮ／ＯＦＦを検出し（Ｓ１２）、バックライト点灯の動作設定をＯＦＦとした場合は終了する。
設定がＯＮであった場合、超音波センサによる距離測定が開始され、携帯電話装置と接近物体との距離を測定する（Ｓ１３）。
超音波センサにより測定した距離Ｌ２と、使用者が設定した距離Ｌ１とを比較する（Ｓ１４）。
比較した結果、測定距離Ｌ２が設定距離Ｌ１以下（Ｌ２≦Ｌ１）であった場合、バックライトが点灯される（Ｓ１５）。
Ｓ１４において、距離比較した結果、Ｌ２＞Ｌ１の場合は、Ｓ１３の距離測定を繰り返す。
一定時間バックライトを点灯（Ｓ１５）後、操作部キー入力を検出する（Ｓ１７）。
バックライト点灯の設定を変更するまで常に動作する。使用者が携帯電話装置に手等をかざした時は何時でもバックライト点灯が実行される。
【実施例３】
【００１５】
上記の実施例における超音波センサの動作モードは、反射エコーの反射時間から接近物体までの距離を計測するものである。本発明では物体の所定距離内への接近が検知できればよいので、距離計測は必ずしも必要はない。反射エコーの振幅は、エコー波形が送信パルスと分離できる範囲で接近距離が近いほど高くなるので、反射エコーの振幅が所定のレベル以上であることを検知しても良い。
図６は本発明の第２の実施例の携帯電話装置の構成を示す図である。図２の第１の実施例の構成と異なるのは、図２の近接覚センサ８が近接覚センサ２８に代替され、構成する距離比較部７がレベル比較部２７に置き換わっている。この実施例では、上で述べたように超音波エコーによる距離計測ではなく、振幅計測を行って接近物を検知し、音声情報通知を行う。
反射エコーの振幅を検知する方法では、図３におけるステップ２の携帯電話装置の使用者が予め入力する音声通知を作動させる距離Ｌ１に対して反射エコーのレベルを対応づけたテーブルを記憶部４に必要とする。
図７に動作のフローを示す。図３のフローと異なるのは、Ｓ４で音声通知のセッティングＯＮを検知した後、記憶部４の持つテーブルから設定距離Ｌ１を超音波エコーのレベルＨ１に読み替える手順Ｓ２０と、エコーのレベルＨ２を測定する手順と、Ｈ２とＨ１とを比較する手順Ｓ２２が実行され、他は図３のフローと同一である。
【００１６】
図７を参照して本実施例の動作についての詳細を説明する。
まず、使用者が携帯電話装置の電源を投入する（Ｓ１）。
次に、音声情報通知動作を作動させる接近距離Ｌ１を使用者が設定入力し（Ｓ２）、音声情報通知動作を行うか行わないか設定する（Ｓ３）。
音声情報通知動作の設定のＯＮ／ＯＦＦを検出し（Ｓ４）、音声情報通知の動作設定をＯＦＦとした場合は終了する。
設定がＯＮであった場合、記憶部４の持つテーブルから設定距離Ｌ１を超音波エコーの設定レベルＨ１に読み替える（Ｓ２０）。
超音波センサによるエコーの振幅測定が開始される（Ｓ２１）。
超音波センサにより測定した振幅Ｈ２と、使用者が設定した振幅Ｈ１とを比較する（Ｓ２１）。
比較した結果、測定振幅Ｈ２が設定振幅Ｈ１以上（Ｈ２≧Ｈ１）であった場合、スピーカより時刻通知や着信通知等の音声情報が使用者に通知される（Ｓ７）。
Ｓ２１において、距離比較した結果、Ｈ２＜Ｈ１の場合、または、接近距離が遠すぎたり近づきすぎたりして超音波エコーが検出できずＨ２が測定できない場合は、Ｓ２１の振幅測定を繰り返す。
音声情報通知（Ｓ７）後、操作部キー入力を検出する（Ｓ８）。
音声情報通知の設定を変更するまで常に動作する。使用者が携帯電話装置に手等をかざした時は何時でも音声情報通知が実行される。
【実施例４】
【００１７】
第１の実施例の近接覚センサの動作モードを距離計測から振幅計測に変えて、第３の実施例を構成したように、第２の実施例の近接覚センサの動作モードを距離計測から振幅計測に変えて、第４の実施例を構成することができる。
図８に第４実施例の構成を示し、図９に動作フローを示す。
【００１８】
上記の実施例１乃至４において、超音波センサ６は、送受波器兼用のタイプのものを使っているが、送受別の振動子を用いてもよい。
【実施例５】
【００１９】
上記の実施例１から４では、携帯電話装置はワンピース型である。近年折り畳み型が広く普及してきている。
図１０は、本発明の第５の実施例の携帯電話装置２００の外観を示し、図１１は、構成ブロック図を示す。
図１０（Ａ）は、折り畳み型携帯電話装置を開いて置いた状態、図１０（Ｂ）は、筐体の主表示部を備える面を内側にして折り畳んで充電アダプタに装着し、または机上等に単に置いた状態を示し、図１０（Ｃ）は、（Ｂ）の状態から裏返して置いた状態を示す。
携帯電話装置２００は、折り畳んだ内面側に操作部２と主表示部１０−１を、主表示部の位置する面の背面に副表示部１０−２と赤外線通信発受光部１１を、また、操作部の位置する面の背面にスピーカ３と近接覚センサ８を備える。
図１１に示すように、筐体内に記憶部４と、制御部５と、副表示部バックライト９−３と、重力感応スイッチ１２と、赤外線通信発受光部１１接続するレベル比較部２７を備えている。
制御部５は、上記の全ての構成要素を制御する。赤外線通信発受光部１１は、制御部５に制御されて他の携帯電話装置との通信に用いられると同時に、レベル比較部２７の制御を受ける。レベル比較部と赤外線通信発受光部とは、近接覚センサ８とは別の第２の近接覚センサを構成している。２つの近接覚センサのセンシング面は、図１０の（Ｂ）、（Ｃ）に示すように、携帯電話装置２００を折り畳んだ時の両主面にそれぞれ配設されている。
重力感応スイッチ１２は、折り畳んで置かれた携帯電話装置の天地を検出する。携帯電話装置に働く重力の方向によって、２つのスイッチ状態を制御部へ通知し、状態によって制御部に異なるプログラムを実行させるセンススイッチの役割を成している。このスイッチとしては、例えば重力方向に接点が落下移動して、移動前とは異なる端子と電気的に接続する小型スイッチ等を用いることができる。
本実施例では、折り畳んで置かれた携帯電話装置へ手をかざす等の物体の接近を検出するのに、近接覚センサ８が上を向いている状態では近接覚センサ８を作動させ、この状態で接近を検知した時、スピーカ３の発音による音声情報通知を行う。また、赤外線通信発受光部１１が上を向いて置かれている状態では赤外線通信発受光部１１を近接覚センサとして作動させ、接近を検知した時、副表示部のバックライト１０−３の点灯を行う。また同時にスピーカ３の発音による音声情報通知を行うこともできる。
赤外線通信発受光部は、近接覚センサとして動作する時、レベル比較部２７によって制御を受ける。その動作は、発光部が赤外パルス光を発出し、接近物からの反射赤外光を受光部が受光して、レベル比較部が予め設定された反射受光レベルと比較し、比較情報を制御部５へ送る。
超音波を利用している近接覚センサ８は、実施例１、２のように、その動作モードを距離計測としてもよく、また、実施例３、４のように振幅計測を行ってもよい。
一連の動作フローは、実施例１−３と同様である。
【００２０】
なお、上記の実施例１から４に記載したワンピース型携帯電話装置の机上や畳床上に置かれた状態は、二次電池の充電を行う充電アダプタに縦に差し込むように置かれているか、操作部や表示部を上にして横長に置かれていることを想定しているが、時によっては充電アダプタと離れて裏返しの状態で置かれていることも想定しなければならない場合がある。そのためには、操作部や表示部を備えない裏面にも近接覚センサを備えてもよい。この場合には、実施例５と同様にセンススイッチを備えて、下向きの近接覚センサはデッドとなり、上向きの近接覚センサがアクティブになるように自動的に行われるようにできる。
【産業上の利用可能性】
【００２１】
本発明は、携帯電話装置に限らず就寝場所にしばしば置かれるテレビ、ラジオ、時計等各種の家電備品のユーザインタフェースとして装備することによって、これら備品の使いやすさを向上させる。
【図面の簡単な説明】
【００２２】
【図１】本発明の携帯電話装置の第１の実施例の外観を示す図である。
【図２】第１の実施例の構成ブロック図を示す。
【図３】第１の実施例の動作フローを示す図である。
【図４】第２の実施例の構成ブロック図を示す。
【図５】第２の実施例の動作フローを示す図である。
【図６】第３の実施例の構成ブロック図を示す。
【図７】第３の実施例の動作フローを示す図である。
【図８】第４の実施例の構成ブロック図を示す。
【図９】第４の実施例の動作フローを示す図である。
【図１０】本発明の携帯電話装置の第５の実施例の外観を示す図である。
【図１１】第５の実施例の構成ブロック図を示す。
【図１２】従来の携帯電話装置の構成を示す図である。
【符号の説明】
【００２３】
１    携帯電話装置
２    操作部
３    スピーカ
４    記憶部
５    制御部
６    超音波センサ
７    距離比較部
８    近接覚センサ
９    表示部
１０    バックライト
１１    赤外線通信発受光部
１２    重力感応スイッチ
２７    レベル比較部
２８    近接覚センサ
１００    携帯電話装置
１１０    操作部
１１１    音声発生装置
１１２    制御部
２００    携帯電話装置
【図１】
2005045655.tif 000003
【図２】
2005045655.tif 000004
【図３】
2005045655.tif 000005
【図４】
2005045655.tif 000006
【図５】
2005045655.tif 000007
【図６】
2005045655.tif 000008
【図７】
2005045655.tif 000009
【図８】
2005045655.tif 000010
【図９】
2005045655.tif 000011
【図１０】
2005045655.tif 000012
【図１１】
2005045655.tif 000013
【図１２】
2005045655.tif 000014